(57)【要約】  【課題】  従来のものよりも薄型化を図ることができるディスク保持装置およびこのディスク保持装置を備えたディスクチェンジャー装置を提供する。  【解決手段】  ディスクＤを載置するトレイと、回転駆動手段５２により回転するターンテーブル５１と、トレイからディスクＤを取り出してターンテーブル５１に搭載させるディスク孔挿入部５６と、ディスクＤをターンテーブル５１上に固定する突起部５８とを備えるディスク保持装置５０において、ディスク孔挿入部５６は、ターンテーブル５１内のディスクＤを搭載する面に対して垂直方向に昇降可能に内挿されているとともに、ディスク孔挿入部５６の内部には、回転駆動手段５２からの回転力をディスク孔挿入部５６の垂直昇降力に変換させるねじ部材５７を収容している。【選択図】  図２
2005209312.tif 000002
【特許請求の範囲】
【請求項１】
ディスクを載置するターンテーブルと、このターンテーブルの中心部に設けられディスクの中心孔に嵌挿するディスク孔挿入部とを備え、
前記ディスク孔挿入部は、前記ターンテーブルの前記ディスクを搭載する面に対して昇降可能な状態で、前記ターンテーブルに設けられたディスク保持装置。
【請求項２】
前記ターンテーブルを回転させる回転駆動手段を有し、
前記ディスク孔挿入部には、前記回転駆動手段からの回転力を前記ディスク孔挿入部の昇降力に変換させる変換手段が内挿されている請求項１に記載のディスク保持装置。
【請求項３】
前記変換手段は、前記駆動手段側と前記ディスク孔挿入部側とを螺合させるねじ部材を備える請求項２に記載のディスク保持装置。
【請求項４】
前記変換手段は、
前記ディスク孔挿入部に設ける内孔の周面に形成される雌ねじ部と、
前記ねじ部材の外周面に形成され前記雌ねじ部に螺合する雄ねじ部と、
前記ターンテーブルの回転動作を一時的停止させる回転停止手段と
を備える請求項２又は３に記載のディスク保持装置。
【請求項５】
前記ディスク孔挿入部が上昇する動作に従動して起立し前記ディスクをターンテーブル上に固定するとともに、前記ディスク孔挿入部が降下する動作に従動して前記ターンテーブル内に横臥し前記ディスクの固定状態を解除する固定手段を備える請求項1〜４のいずれか１項に記載のディスク保持装置。
【請求項６】
ディスクを収納する複数のトレイと、
前記複数のトレイのうち一つのトレイの下部に前記ディスクを載置するターンテーブルを移動するターンテーブル移送手段と、
請求項１〜５のいずれか１項に記載のディスク保持装置を備えるディスクチェンジャー装置。
【発明の詳細な説明】
【技術分野】
【０００１】
本発明は、ＣＤ（Compact Disc）やＤＶＤ（Digital Versatile Disc）等のディスクをターンテーブルに保持させるディスク保持装置及びこのディスク保持装置を備えたディスクチェンジャー装置に関するものである。
【背景技術】
【０００２】
ディスクをターンテーブルに保持させるディスク保持装置を備え、ディスクに対して情報の記録及び／又は再生を行うことができるディスク記録再生装置（以下、これをディスク装置と略す）が各種開発されている。
また、このディスク装置の中には、トレイに収容された複数枚のディスクから所望のものを選択して情報の記録及び／又は再生を行うディスクチェンジャー装置も知られている（例えば、特許文献１参照）。
【０００３】
ところで、このようなディスク保持装置を備えたディスク装置やディスクチェンジャー装置は、設置場所によっては、あまり大きなスペースを占有できないなどといった理由から小型のものが求められている。
特に、例えば自動車などの乗り物に積載する車載タイプのものでは、設置スペースの制約が厳しいため、特に小型化や薄型化が望まれている。
【特許文献１】特開平１０−２８３７０７号公報（図１２〜図１４）
【発明の開示】
【発明が解決しようとする課題】
【０００４】
しかしながら、前述の特許文献１に記載のディスク保持装置を備えたディスクチェンジャー装置にあっては、図１１に示すように、所望のトレイ１０４に収納されているディスクＤ１とその直下のディスクＤ２との間の隙間Ｇに、シャーシ１０３ごとディスク保持装置１０１を挿入させるようになっているが、ターンテーブル１０２及びディスク孔挿入部１０２Ａを備えているディスク保持装置１０１は一般に嵩高であるので、これを挿入するのに必要な隙間Ｇの高さ方向の寸法Ｓ0も増大している。
【０００５】
即ち、このようなディスク保持装置１０１は、ターンテーブル１０２に所望のディスクＤ１を搭載させる場合、通常、そのディスクＤ１とその直下のディスクＤ２との間の隙間Ｇに入り込み、ターンテーブル１０２の中央部に突設するディスク孔挿入部１０２Ａを所望のディスクＤ１のセンターホール（中央部の孔）に下から挿入させることが必要である。
【０００６】
ところが、このようなディスク保持装置１０１は、一般に、ターンテーブル１０２に対してディスク孔挿入部１０２Ａが固定された状態で突出している構成なので、そのディスク孔挿入部１０２Ａが突出している分、隙間Ｇの上下方向の長さも大きく確保することが必要となっており、これに伴ってディスク保持装置１０１全体の高さ寸法も増大している。
【０００７】
本発明は、上記事情に鑑みてなされたもので、従来のものよりも薄型化を図ることができるディスク保持装置およびこのディスク保持装置を備えたディスクチェンジャー装置を提供することを目的とする。
【課題を解決するための手段】
【０００８】
本発明のディスク保持装置は、ディスクを載置するターンテーブルと、このターンテーブルの中心部に設けられディスクの中心孔に嵌挿するディスク孔挿入部とを備え、前記ディスク孔挿入部は、前記ターンテーブルの前記ディスクを搭載する面に対して昇降可能な状態で、前記ターンテーブルに設けられた構成を有している。
【０００９】
上記構成によれば、ディスク孔挿入部をターンテーブル内部に収容可能に構成しており、ディスク保持装置全体の薄型化を図ることが可能となる。
つまり、ディスク孔挿入部を所望のディスクの下側（記録面側）に移動させるときには、ディスクのセンターホール（中心孔）位置に到達するまでの間、ターンテーブル内にそのディスク孔挿入部を収容させて薄型化させた状態で移動させることができるので、ターンテーブルとディスクとの隙間の寸法を最小限に抑えることができる。
【００１０】
また、本発明のディスク保持装置は、前記ターンテーブルを回転させる回転駆動手段を有し、前記ディスク孔挿入部には、前記回転駆動手段からの回転力を前記ディスク孔挿入部の昇降力に変換させる変換手段が内挿されている構成を有している。
【００１１】
上記構成によれば、ディスク孔挿入部の内部に変換手段を収容させてあるので、その分の高さ寸法も削減することができる。
しかも、上記構成によれば、変換手段を設置することにより、ディスク孔挿入部の昇降動作の駆動源がターンテーブルの回転駆動源を兼用できるので、さらに小型化、軽量化も図ることができる。
【００１２】
また、本発明のディスク保持装置は、前記変換手段が、前記駆動手段側と前記ディスク孔挿入部側とを螺合させるねじ部材を備える構成を有している。
【００１３】
上記構成によれば、簡単な構成のもので変換手段を構成することができる。
【００１４】
また、本発明のディスク保持装置は、前記変換手段が、前記ディスク孔挿入部に設ける内孔の周面に形成される雌ねじ部と、前記ねじ部材の外周面に形成され前記雌ねじ部に螺合する雄ねじ部と、前記ターンテーブルの回転動作を一時的停止させる回転停止手段と
を備える構成を有している。
【００１５】
上記構成によれば、雌雄双方のねじ部からなり、ねじ部材の回転力を動力減としたねじによる押出し作用でディスク孔挿入部を昇降させる（例えば通常使用する１条ねじであれば、ねじ部材の１回転でディスク孔挿入部を１ピッチだけ軸心方向に直線移動させる）変換手段を、簡単な構成の内穴とねじ部材に形成することができる。
【００１６】
また、本発明のディスク保持装置は、前記変換手段が、前記ディスク孔挿入部に設ける内孔の周面に形成される雌ねじ部と、前記ねじ部材の外周面に形成され前記雌ねじ部に螺合する雄ねじ部と、前記ターンテーブルの回転動作を一時的停止させる回転停止手段とを備える構成を有している。
【００１７】
上記構成によれば、この回転停止手段によってターンテーブル上のディスクを確実に固定することができるばかりか、この回転停止手段を駆動する専用の駆動源を必要とせずに動作させることができるので、さらに装置の小型化、軽量化を図ることができる。
【００１８】
また、本発明のディスクチェンジャー装置は、ディスクを収納する複数のトレイと、前記複数のトレイのうち一つのトレイの下部に前記ディスクを載置するターンテーブルを移動するターンテーブル移送手段と、上記いずれかのディスク保持装置を備える構成を有している。
【００１９】
上記構成によれば、ディスク保持装置のディスク孔挿入部がターンテーブルの内部に収容可能に構成されており、高さ方向の寸法などが拡大することがない。従って、ディスク保持装置全体の薄型化を図ることが可能となり、延いては薄型化可能なディスクチェンジャー装置が提供できるようになる。
【発明の効果】
【００２０】
本発明によれば、ディスク孔挿入部をターンテーブル内のディスクを搭載する面に対して昇降可能に収容させることにより、再生または記録すべきディスクをターンテーブルにより接近させた状態で載置させることができ、従来のものよりも装置全体を薄型化できるという効果を有するディスク保持装置およびこのディスク保持装置を備えたディスクチェンジャー装置を提供できる。
【発明を実施するための最良の形態】
【００２１】
以下、本発明の実施形態について、添付図面を用いて詳細に説明する。
まず、本発明の実施形態に係るディスクチェンジャー装置の構成について説明する。
本実施形態に係るディスクチェンジャー装置１は、図１に示すように、筐体１０内部に、互いに積層方向に移動可能に積み重ねられた複数のトレイ（図１では最上部のものだけが見えている）２１を有するトレイ部２と、所定のトレイ２１間を開閉する図示しないトレイ開閉手段と、筐体１０に対して矢印Ａで示す方向に移動可能なベース部としての基台３と、この基台３に対して回動軸４１を中心にして矢印Ａで示す方向に回動可能な状態で設置されたシャーシ４と、このシャーシ４に搭載されディスクＤの記録情報の再生手段を構成する演奏部５などを備えている。
【００２２】
このうち、演奏部５には、所望のディスクＤ１（図６参照）を搭載させて図２（Ａ），（Ｂ）に示すように回転駆動手段５２により回転するターンテーブル５１を有するディスク保持装置５０と、シャーシ４の回動軸４１の延在方向と略直交する矢印Ｂで示す方向に移動可能に設置されターンテーブル５１に搭載されたディスクＤ１にアクセスするピックアップ５３と、このピックアップ５３を矢印Ｂ方向にスライド動作させるリードスクリュ（滑らかな精密送りを行うようにボールねじで構成するのが好ましい）５４と、ピックアップ５３のスライド動作を案内するためにリードスクリュ５４と平行に設置されたガイドシャフト５５とを備えている。
【００２３】
ターンテーブル５１は、図２（Ａ），（Ｂ）に示すように、回転駆動手段５２の回転中心軸５２Ａと一体となって回転するように構成されているが、中心部には孔部５１Ａを設けており、この孔部５１Ａに対して後述するディスク孔挿入部５６が昇降自在に挿入されている。
【００２４】
即ち、このターンテーブル５１の孔部５１Ａは、ディスク孔挿入部５６と係合しており、ディスク孔挿入部５６は、孔部５１Ａの周方向について、ディスク孔挿入部５６の外周面と係合して一体に回転することが許容されている。逆に言うと、ターンテーブル５１に対してディスク孔挿入部５６の相対的な回転動作が拘束されており、ターンテーブル５１に対してディスク孔挿入部５６のみが単独自由に回転することを禁止しているわけである。一方、ターンテーブル５１の軸線Ｌ方向（図２（Ｂ）では上下方向）については、ディスク孔挿入部５６が孔部５１Ａに対して上下（昇降）方向に自由に移動できるようになっている。
【００２５】
このため、本実施形態のターンテーブル５１には、図２（Ａ），（Ｂ）に示すように、その孔部５１Ａの内周面には軸方向に平行な縦溝５１Ｅが複数（３箇所）刻設されているとともに、ディスク孔挿入部５６の外周面にはその縦溝５１Ｅに係合する突条５６Ｅが同方向に複数本（３本）形成されている。
【００２６】
略円筒形状のターンテーブル５１の孔部５１Ａの内部には、ディスクＤのセンターホール（中心孔）Ｄ0（図１参照）に挿入する略円柱状のディスク孔挿入部５６が設置されているとともに、図２（Ｂ）において、矢印Ｃ方向に回動可能な複数（３つ）の突起部５８が軸部５８Ａを支点として起立可能な状態に配置されている。また、そのターンテーブル５１の外周面には、図１及び図６に示すピックアップ５３の先端部に設置される回転ストッパ部（回転停止手段の一方を構成する）５３Ａと係合する溝部（回転停止手段の他方を構成する）５１Ｃが形成されている。
【００２７】
ピックアップ５３は、図１に示すように、スライド板５３Ｄに搭載されており、上記回転ストッパ部５３Ａと、リードスクリュ５４の雄ねじが切られた雄ねじ部に螺合する雌ねじが切られたスライド部５３Ｂと、ガイドシャフト５５にスライド自在に係合する係合部５３Ｃとを備えている。
【００２８】
このうち、回転ストッパ部５３Ａは、ディスク孔挿入部５６が昇降動作を行う際にターンテーブル５１の回転動作を一時的に阻止（回転ロック）するものであり、とくに本発明では、回転駆動手段５２からの回転駆動力をディスク孔挿入部５６の昇降力に変換させるクラッチ手段としての機能を有している。即ち、ディスク孔挿入部５６を昇降させるときには、回転駆動手段５２からの回転駆動力は、ターンテーブル５１に伝達させるのではなくディスク孔挿入部５６へ伝達させ、その回転力を駆動源として、かつ、ディスク孔挿入部５６及びこれに螺合するねじ部材５７の２体間でのねじによる押出し作用を利用して、ディスク孔挿入部５６をターンテーブル５１に対して垂直方向へ移動させるように構成されている。
【００２９】
そのため、このディスク孔挿入部５６には、内穴５６Ｄが形成されており、この内穴５６Ｄには内周面に雌ねじが切られた雌ねじ部（これが、本発明の変換手段の一方を構成する）５６Ａが設けられている。そして、この内穴５６Ｄの雌ねじ部５６Ａには、回転駆動手段５２の回転中心軸５２Ａと一体に回転するよう固定され、外周面に雄ねじが切られた雄ねじ部（これが、変換手段の他方を構成する）５７Ａを設けたねじ部材５７が螺合する状態で取り付けられている。回転ストッパ部５３Ａによる回転ロック状態が解除された場合には、回転駆動手段５２からの回転駆動力が伝達されてねじ部材５７がターンテーブル５１とともに一体に回転するようになっている。
【００３０】
なお、このディスク孔挿入部５６は、ターンテーブル５１のディスク載置面５１Ｂに対して垂直方向の移動範囲が規制されており、回転軸方向（図２（Ｂ）で上下方向に対応する）への昇降動作において、降下動作は回転駆動手段５２の天面部５２Ｂにディスク孔挿入部５６の下面が当接するところ（図２（Ｂ）の状態）まで降下可能であり、また、上昇動作は、ディスク孔挿入部５６の下部外縁に沿って設けた突条５６Ｅが、孔部５１Ａのストッパ５１Ｄに係止するとともに、ディスク孔挿入部５６が突起部５８を起立させるところ（図４（Ｂ）の状態）まで上昇可能になっている。図２（Ａ），（Ｂ）はディスク孔挿入部５６が降下して突起部５８が収納された状態を示し、図４（Ａ），（Ｂ）はディスク孔挿入部５６が上昇して突起部５８が起立した状態を示している。
【００３１】
なお、ディスク孔挿入部５６には、図２（Ａ），（Ｂ）に示すように、ディスク孔挿入部５６の内穴５６Ｄを上から塞ぐような状態で弾性部材からなる付勢部５６Ｂが設置されている。この付勢部５６Ｂには、周縁部が延出してクランク状に屈曲されて突起部５８の下部に位置する押圧端部５６Ｃが突起部５８に対応した数だけ形成されている。
【００３２】
突起部５８は、ターンテーブル５１に搭載されたディスクＤへ情報の記録及び／又は再生する際に、爪部５８Ｃを用いてそのディスクＤに係止し、ディスク孔挿入部５６を介してターンテーブル５１と一体化させるために、そのディスクＤを一時的に固定するものである。そのため、この突起部５８は、ディスク孔挿入部５６が所定位置まで上昇すると、これに従動して起立しディスクＤのセンターホールＤ0側を自由端側（図２（Ｂ）では右上端部側）にある固定用の爪部５８Ｃで固定するように構成されている。
【００３３】
図３及び図５は突起部５８周辺を拡大して示した断面図である。図３（Ａ）は図２（Ａ）におけるα−α断面（図２（Ｂ）も同様）を示し、図３（Ｂ）は図２（Ａ）におけるβ−β断面を示している。また、図５（Ａ）は図４（Ａ）におけるα−α断面（図４（Ｂ）も同様）を示し、図５（Ｂ）は図４（Ａ）におけるβ−β断面を示している。本実施形態の突起部５８には、基端側（図２（Ｂ）では左端部側）に貫通状態で固着した軸部５８Ａと、この軸部５８Ａを回動軸として回動可能に突設する収納突起部５８Ｂとが設けられており、突起部５８が軸部５８Ａを支軸として起立可能に枢支されている。更に、ディスク孔挿入部５６の円周部の複数の突起部５８に対応した箇所に、押下端部５６Ｆが収納突起部５８Ｂに上から覆い被さるように配置された構成としている。
【００３４】
次に、本実施形態に係るディスクチェンジャー装置１の動作について説明する。
（Ａ１）ディスクチェンジャー装置１は、初め、予め選択された所望のトレイ２１Ａ（図６参照）とその直下のトレイ２１Ｂ（図６参照）との間を図示外のトレイ開脚手段によって開き、その後、シャーシ４を筐体１０の基台３に対して矢印Ａで示す方向に所定の位置まで移動させる。即ち、回動軸４１を中心にして矢印Ａで示す方向に、図１に示す位置から図７に示す位置まで、シャーシ４を基台３に対して回動させる。
これにより、所望のトレイ２１Ａとその直下のトレイ２１Ｂとの間の空間に、シャーシ４の上のローディング装置５０を侵入させる。
【００３５】
（Ａ２）このとき、所望のトレイ２１Ａとその直下のトレイ２１Ｂとの間の空間にピックアップ５３も侵入する。図６に示すように、ピックアップ５３は、先端の回転ストッパ部５３Ａがターンテーブル５１の外周面の溝部５１Ｃと係合する位置にあるため、ターンテーブル５１は回転動作が阻止（回転ロック）される。
なお、ここまでは、ディスク孔挿入部５６が、図２（Ｂ）に示すように、ターンテーブル５１のディスク載置面５１Ｂより突出しない高さ（レベル）位置にて待避しており、複数の突起部５８もディスク孔挿入部５６内部に格納された状態で待機している。
【００３６】
（Ａ３）次に図８に示すように、所望のトレイ２１Ａがターンテーブル５１に向かって下降し、ターンテーブル５１上にディスクＤ１が載置される。また、このとき突起部５８は、図３（Ａ），（Ｂ）に示すようにターンテーブル５１がディスクを載置する面に対して突出しない状態でターンテーブル５１内に収容されている。
【００３７】
（Ａ４）ここで、ディスクＤ１がターンテーブル５１上に載った状態において、回転駆動手段５２（例えば図２（Ｂ）参照）が回転駆動することにより、回転中心軸５２Ａの先端部（図２（Ｂ）において上端部）に固着しているねじ部材５７が回転を始める。
【００３８】
（Ａ５）この場合、ターンテーブル５１は回転動作が一時的に阻止された状態（回転ロック状態）にあるため、ねじ部材５７が回転を始めると、このねじ部材５７の外周面に形成されている雄ねじ部５７Ａとこの雄ねじ部５７Ａに螺合している雌ねじ部５６Ａとの作用により、回転駆動手段５２からの回転力がディスク孔挿入部５６を押上げる押上力に変換され、ディスク孔挿入部５６がターンテーブル５１のディスク載置面５１Ｂから突出する方向に上昇移動する。これにより、ディスク孔挿入部５６は図３（Ａ），（Ｂ）の状態から図５（Ａ），（Ｂ）のように突出する。
【００３９】
（Ａ６）そして、上記上昇移動に伴い所望のディスクＤのセンターホールＤ0にディスク孔挿入部５６が挿入される。
また、このディスク孔挿入部５６の移動に伴い、ディスク孔挿入部５６上部に設置された付勢部５６の押圧端部５６Ｃも図３（Ａ）から図５（Ａ）に示すように上昇する。この押圧端部５６Ｃの上昇移動により、突起部５８の背部が押し上げられ、突起部５８が起立するように作用する。すなわち突起部５８は、図３（Ａ），（Ｂ）に示す横臥した状態から図中反時計方向に回動を始めて、図５（Ａ），（Ｂ）に示すように起立動作を行う。このようにして、所望のディスクＤのセンターホールＤ0の周壁及び上面をディスク載置面５１Ｂに対して垂直上方向から突起部５８が押し付けることにより、ディスクＤがターンテーブル５１に一体に固定される。
【００４０】
（Ａ７）この後、図９に示すように、トレイ２１Ａは更に下降動作を行い、ディスクＤとの接触を逃れる。ここでトレイ２１はディスク上面への接触がないように上面開口状に形成されているため、ディスクＤがターンテーブル５１に固定された後にトレイ２１を下降してもディスクＤへのディスクＤを傷つけるなどの問題は生じない。
【００４１】
（Ａ８）次に、リードスクリュ５４の駆動動作により、ピックアップ５３をターンテーブル５１に搭載されている所望のディスクＤに対して、その半径方向の外側方向に向けて所定の距離だけ後退移動させる。すると、ピックアップ５３の先端の回転ストッパ部５３Ａはターンテーブル５１の溝部５１Ｃとの係合が外れるので、ターンテーブル５１の回転ロックが解除されてフリーの状態になり、回転駆動手段５２の回転駆動力によりディスクＤが回転を始める。
【００４２】
（Ａ８）その後、ピックアップ５３は、図１０に示すように、リードスクリュ５４の駆動力により、シャーシ４に対して矢印Ｅで示す方向（ディスクＤの半径方向（トラックを横切る方向））に移動することによって、演奏部５がディスクＤ上の所望のトラックに位置され、記録情報の再生（演奏）または記録を行う。
【００４３】
また、本実施形態のディスクチェンジャー装置１は、ターンテーブル５１に搭載していたディスクＤを別のものに交換して新たにそのディスクＤの記録情報の再生（演奏）または記録を行うときやディスクＤをターンテーブル５１から排出しようとするときには、以下のような動作が行われる。
【００４４】
（Ｂ１）初めに、回転駆動手段５２によるディスクＤの回転を止める。
【００４５】
（Ｂ２）次に、リードスクリュ５４を逆回転させ、シャーシ４に対してピックアップ５３の回転ストッパ部５３Ａがターンテーブル５１の溝部５１Ｃに係合するところまで、つまり図７に示す状態まで矢印Ｂで示す方向に沿ってディスクＤの半径方向の中心部に向けピックアップ５３を前進移動させる。すると、図９に示すように、ピックアップ５３は、先端の回転ストッパ部５３Ａがターンテーブル５１の外周面の溝部５１Ｃと係合する位置にあるため、ターンテーブル５１は回転動作が阻止（回転ロック）される。
【００４６】
（Ｂ３）そして、ターンテーブル５１の回転がロックされた状態で、（Ａ７）とは逆の動作、すなわちトレイ２１Ａを上昇させ、図８に示すようにトレイ２１にディスクＤを載置する位置でトレイ２１の上昇動作を停止する。
【００４７】
（Ｂ４）その後、再度、回転駆動手段５２を駆動させるが、（Ａ４）とは逆の方向に回転中心軸５２Ａを回転させる。すると、ねじ部材５７の雄ねじ部５７Ａとこの雄ねじ部５７Ａに螺合している雌ねじ部５６Ａとの作用により、回転駆動手段５２からの回転力がディスク孔挿入部５６を降下させる力に変換され、ディスク孔挿入部５６が下方向へ降下移動する。これにより、ディスク孔挿入部５６は、ディスク載置面５１Ｂから突出しないように、図５（Ａ），（Ｂ）の状態から図３（Ａ），（Ｂ）のように降下し、ターンテーブル５１内へ収納される。
【００４８】
（Ｂ５）ここで、このディスク孔挿入部５６の下降移動に伴い、図５（Ｂ）から図３（Ｂ）に示すように、複数の突起部５８は、ディスク孔挿入部５６に一体形成された押下端部５６Ｆにより、収納突起部５８Ｂが押下され、図２（Ｂ）に示す矢印Ｃ方向とは反対の時計回りの方向に回動し、図３（Ａ），（Ｂ）に示すようにディスク孔挿入部５６の内部に収納突起部５８Ｂが収納される状態となるとともに、突起部５８が倒れ、ターンテーブル５１内に突起部５８が収納される。
【００４９】
（Ｂ６）これにより、ターンテーブル５１に搭載していたディスクＤ１のセンターホールＤ0からディスク孔挿入部５６が脱出する。この状態において、さらにトレイ２１Ａを上昇させて、図６に示す状態へ移行する。
【００５０】
（Ｂ７）更にその後、図７において、回動軸４１を中心にして矢印Ａ方向とは反対方向にシャーシ４を回動させる。つまり、図７に示す位置から図１に示す位置まで、シャーシ４を時計回りの方向に回動させて元の状態に戻すことにより、トレイ２１Ａ、２１Ｂ（図６参照）間からシャーシ４に搭載されているローディング装置５０及びピックアップ５３などを排出させることができる。
【００５１】
これにより、ディスクＤは、ターンテーブル５１から排出させることができるようになる。また、ディスクＤを別のもの交換してから、前述した一連の動作（Ａ１）から（Ａ８）を行うことにより、新たにそのディスクＤの記録情報の再生（演奏）または記録を行うことができる。
【００５２】
このように、本実施形態のディスクチェンジャー装置１によれば、ディスク孔挿入部５６をディスク載置面５１Ｂに対して昇降可能な状態でターンテーブル５１に収容させることにより、所望のトレイ２１間に確保すべき空間Ｓ（図６参照）の高さ寸法を小さくすることができ、延いてはディスクチェンジャー装置１としての装置全体の薄型化を図ることができる。
なお、本実施の形態において、シャーシ４は基台３に対して回動動作するように構成していたが、本発明では、この回動移動に限らず各種の移動態様、例えば並進移動等の運動をするように構成してもよい。
【００５３】
また、本発明のディスク保持装置は、本実施形態のディスクチェンジャー装置１以外の各種のディスク装置、例えばディスクへの情報記録装置などにも適用することができる。
【００５４】
なお、本発明は上述した実施形態に何ら限定されるものではなく、その要旨を逸脱しない範囲において種々の形態で実施し得るものである。
【産業上の利用可能性】
【００５５】
本発明のディスク保持装置は、ディスク孔挿入部をターンテーブル内のディスクを搭載する面に対して昇降可能に収容させることにより、所望のトレイ間に確保すべき挿入空間を小さくすることができ、装置全体を薄型化できるという効果を有し、特にＣＤやＤＶＤ等のディスクに対して情報の記録及び／又は再生を行うディスク装置、およびこのディスク装置を備えたディスクチェンジャー装置等として有用である。
【図面の簡単な説明】
【００５６】
【図１】本発明の実施形態に係るディスクチェンジャー装置の待機状態を示す平面図
【図２】（Ａ）は本発明の実施形態に係るディスク保持装置の待機状態を示す平面図、（Ｂ）は（Ａ）に示すディスク保持装置のα−α断面図
【図３】ディスク保持装置の突起部周辺を拡大して示した断面図であり、（Ａ）は図２（Ａ）におけるα−α断面、（Ｂ）は図２（Ａ）におけるβ−β断面
【図４】（Ａ）は本発明の実施形態に係るディスク保持装置の演奏時の状態を示す平面図、（Ｂ）は（Ａ）に示すディスク保持装置のα−α断面図
【図５】ディスク保持装置の突起部周辺を拡大して示した断面図であり、（Ａ）は図４（Ａ）におけるα−α断面、（Ｂ）は図４（Ａ）におけるβ−β断面
【図６】本発明の実施形態に係るディスクチェンジャー装置のディスク保持装置がトレイ部のディスクの間に挿入されるときの状態を示す概略断面図
【図７】ディスク保持装置がトレイ部のディスクの間に挿入されるときの状態を示す平面図
【図８】図６の状態からトレイ部を下降してディスクがターンテーブル上に載置された状態を示す概略断面図
【図９】図８の状態からさらにトレイ部を下降してディスクがフリーとなった演奏時の状態を示す概略断面図
【図１０】本発明の実施形態に係るディスクチェンジャー装置の演奏時の状態を示す平面図
【図１１】従来のディスク保持装置によりディスクを搭載させるときの状態を示す概略断面図
【符号の説明】
【００５７】
１  ディスクチェンジャー装置
１０  筐体
２  トレイ部
２１  トレイ
３  基台
４  シャーシ
４１  回動軸
５  演奏部（情報再生手段）
５０  ディスク保持装置
５１  ターンテーブル
５１Ａ  孔部
５１Ｂ  ディスク搭載面
５１Ｃ  溝部
５１Ｅ  縦溝
５２  回転駆動手段
５３  ピックアップ
５３Ａ  回転ストッパ部（回転停止手段）
５３Ｄ  スライド板
５４  リードスクリュ
５６  ディスク孔挿入部
５６Ａ  雌ねじ部（変換手段）
５６Ｄ  内孔
５６Ｅ  突条
５６Ｆ  押下端部
５７  ねじ部材
５７Ａ  雄ねじ部（変換手段）
５８  突起部（固定手段）
５８Ａ  軸部
５８Ｂ  収納突起部
５８Ｃ  爪部
Ｄ  ディスク
【図１】
2005209312.tif 000003
【図２】
2005209312.tif 000004
【図３】
2005209312.tif 000005
【図４】
2005209312.tif 000006
【図５】
2005209312.tif 000007
【図６】
2005209312.tif 000008
【図７】
2005209312.tif 000009
【図８】
2005209312.tif 000010
【図９】
2005209312.tif 000011
【図１０】
2005209312.tif 000012
【図１１】
2005209312.tif 000013